Podtech/llm-jp-corpus-v4-ja_patent huggingface dataset:
(57)【要約】      （修正有）【課題】使用した電気エネルギーより、大きな電気エネルギーを造ることを可能にするポンプを提供する。【解決手段】筒と筒の内側に設置されたらせん状突起を有する、汲上げ装置を備える。汲上げ装置に浮体を設けることにより、汲上げる液体よりも、見かけ比重が小さくなることを特徴とする。【選択図】図２
0003152481.tif 000002
【実用新案登録請求の範囲】
【請求項１】
バーチカル、ポンプに浮力を加えることによって、ポンプ負荷を軽減した、浮力バーチカル、ポンプ。
【請求項２】
浮力バーチカル、ポンプを水平にして、船舶のスクリューに使用すれば、省エネ推進装置となる。
【考案の詳細な説明】
【技術分野】
【０００１】  省エネルギーポンプで、地球温暖化防止に役立つ技術である。
【背景技術】
【０００２】  世界的にエネルギー資源が枯渇して、問題になっている。新エネルギーの創出が急務である。
【考案の開示】
【考案の解決しようとする課題】
【０００３】  新エネルギーの創出、水質浄化装置及び、砂漠緑化のポンプ。
【考案が解決するための手段】
【０００４】  バーチカル、ポンプの筒の中に浮体を入れる。この浮力は、浮体の重量と浮体外側の水の重量を、上まわる構造とする。浮体の外周には、螺旋状の突起を設け、揚水可能とする。浮体（アルミ製又は炭素繊維製）は浮いているため、回転に要するエネルギーが、省エネで済む。
【考案の効果】
【０００５】  現在のポンプは使用した電気エネルギーより大きな電気エネルギーを造ることは出来ない。それを可能にするのが、浮力バーチカル、ポンプである。浮力バーチカル、ポンプで使用した電気エネルギーより、それによって、発電した電気エネルギーが大きくなる。したがつて、差引が利用可能エネルギーとなる。
その他、水質浄化のためのポンプ、砂漠緑化のため、水を供給するポンプ、また、下水浄化のため、エアーレイション、ポンプ、及び、船舶の推進装置などに利用できる。
【図面の簡単な説明】［浮力バーチカル、ポンプ］
【図−１】平面の断面図（Ａ〜Ａ）
【図−２】側面の断面図
【符号の説明】
１  モーター
２  中心軸
３  浮体
４  螺旋状突起
５  水
６  筒
７  固定
【図−１】
0003152481.tif 000003
【図−２】
0003152481.tif 000004
【手続補正書】
【提出日】平成20年4月30日(2008.4.30)
【手続補正１】
【補正対象書類名】実用新案登録請求の範囲
【補正対象項目名】全文
【補正方法】変更
【補正の内容】
【実用新案登録請求の範囲】
【請求項１】
筒の中に浮体を入れる。この浮体は軽い部材の円空柱で上下端を同質部材で接着する。そして、円柱の外周に同質材で、らせん状突起を接着する。この浮体を回転させるため、中心軸に中心軸棒を通して接着する。
こうして、水密構造の浮体を筒の中に入れて、中心軸棒を上下端の棒受板で着定する。浮体を回転させるため、モーターを設置する。以上の装置を水中の岩盤等に固定する。
【手続補正書】
【提出日】平成20年4月30日(2008.4.30)
【手続補正１】
【補正対象書類名】図面
【補正対象項目名】全図
【補正方法】変更
【補正の内容】
【図１】
0003152481.tif 000005
【図２】
0003152481.tif 000006
【手続補正書】
【提出日】平成20年4月30日(2008.4.30)
【手続補正１】
【補正対象書類名】明細書
【補正対象項目名】全文
【補正方法】変更
【補正の内容】
【考案の詳細な説明】
【技術分野】
【０００１】  省エネルギーポンプで、地球温暖化防止に役立つ技術である。
【背景技術】
【０００２】  世界的にエネルギー資源が枯渇して、問題になっている。新エネルギーの創出が急務である。
【考案の開示】
【考案の解決しようとする課題】
【０００３】  新エネルギーの創出、水質浄化装置及び、砂漠緑化のポンプ。
【考案が解決するための手段】
【０００４】  筒６の中に浮体３を入れる。この浮体３は軽い部材の円空柱で上下端を同質部材で接着する。そして、円柱の外周に同質材で、らせん状突起４を接着する。この浮体３を回転させるため、中心軸に中心軸棒２を通して接着する。  こうして、水密構造の浮体３を筒６の中に入れて、中心軸棒２を上下端の棒受板７で着定する。浮体３を回転させるため、モーター１を設置する。以上の装置を水中の岩盤等に固定８する。
【考案の効果】
【０００５】  現在のポンプは使用した電気エネルギーより大きな電気エネルギーを造ることは出来ない。それを可能にするのが、浮力バーチカル、ポンプである。浮力バーチカル、ポンプで使用した電気エネルギーより、それによって、発電した電気エネルギーが大きくなる。したがつて、差引が利用可能エネルギーとなる。  その他、水質浄化のポンプ、砂漠緑化のため、水を供給するポンプ、また、下水浄化のため、エアーレイション、ポンプ、及び、船舶の推進装置などに利用できる。
【図面の簡単な説明】
【０００６】［浮力バーチカル、ポンプ］【図１】平面の断面図（Ａ〜Ａ）
【図２】側面の断面図
【符号の説明】
【０００７】  ［１］    モーター  ［２］    中心軸棒  ［３］    浮体  ［４］    らせん状突起  ［５］    水  ［６］    筒  ［７］    棒受板  ［８］    固定  ［９］    水位
【手続補正書】
【提出日】平成20年8月1日(2008.8.1)
【手続補正１】
【補正対象書類名】実用新案登録請求の範囲
【補正対象項目名】全文
【補正方法】変更
【補正の内容】
【実用新案登録請求の範囲】
【請求項１】
筒の中に浮体を入れる。この浮体は軽い部材の円空柱で上下端を同質部材で接着する。そして、円柱の外周に同質部材で、らせん状突起を接着する。この浮体を回転させるため、中心軸に中心軸棒を通して、水密に組立てた浮力バーチカル、ポンプ。
【手続補正書】
【提出日】平成20年11月4日(2008.11.4)
【手続補正１】
【補正対象書類名】実用新案登録請求の範囲
【補正対象項目名】全文
【補正方法】変更
【補正の内容】
【実用新案登録請求の範囲】
【請求項１】
バーチカル、ポンプの、筒中の、水の重さに対して、浮力を加えることにより、力が釣合い、省エネルギー、ポンプとなる、浮力バーチカル、ポンプ。
【手続補正書】
【提出日】平成21年2月2日(2009.2.2)
【手続補正１】
【補正対象書類名】実用新案登録請求の範囲
【補正対象項目名】全文
【補正方法】変更
【補正の内容】
【実用新案登録請求の範囲】
【請求項１】
筒の中に軽い部材の円空柱をした、浮体を入れた、浮力バーチカル、ポンプ。
【手続補正書】
【提出日】平成21年5月12日(2009.5.12)
【手続補正１】
【補正対象書類名】実用新案登録請求の範囲
【補正対象項目名】全文
【補正方法】変更
【補正の内容】
【実用新案登録請求の範囲】
【請求項１】
筒と筒の内側に設置されたらせん状突起を有する、汲上げ装置を備えた、バーチカル、ポンプにおいて、
前記汲上げ装置に浮体を設けることにより、汲上げる液体よりも、見かけ比重が小さくなることを特徴とする、浮力バーチカル、ポンプ。
(57)【要約】      （修正有）【課題】防災グッズを収納できるようにし、防災グッズをインテリアの雰囲気を損なうことなく身近に置けて、地震や災害の際に探したり取りに行ったりという行為を最小限に抑えられるクッションを提供する。【解決手段】形状を４５ｃｍ四方のクッションとし、好みのカバーを選べるようにした。取り出し口４はチャックにて開閉でき防災グッズを出し入れできる。取り出し口４の内側に肩掛け紐７を付属させ緊急時に持ち運びやすくした。【選択図】図１
0003152489.tif 000002
【実用新案登録請求の範囲】
【請求項１】
４５ｃｍ四方の綿入りクッションを作り、内部には防災グッズの収納部を設け、防災グッズの取り出し口には紐を付属させて肩にかけて持ち運ぶことを可能とした、防災グッズ収納用クッション。
【考案の詳細な説明】
【産業上の利用分野】
【０００１】  本考案は、防災グッズ収納用クッションに防災グッズを収納しておき、必要時にただちにその防災グッズを取り出したり、また持ち出したりすることが容易な、防災グッズ収納用クッションに関するものである。
【背景技術】
【０００２】  従来一般に、防災グッズは、災害時に利用することが目的で、その他は見つかりやすい場所に保管しておくことが必要不可欠となる。しかし、現在の防災グッズでは、購入してリビングや寝室に置くことがデザイン面から困難な状況にある。その結果、非常時に近くに置かれていないことから、持ち出すことが困難になる。
【考案の開示】
【考案が解決しようとする課題】
【０００３】  近年、地震や洪水などの自然災害が深刻な問題となっており、防災に関しての意識が高まってきている。しかし、現状では防災グッズの購入後、実際に利用するというケースがほとんどない。その原因として、防災グッズを置く場所に問題がある。部屋のインテリアの統一性を損なうことなく置いておける防災グッズがなく、押入れなど家の隅においやられているため、地震の際に探したり取りに行くという行為が必要となり、持ち出されることが少なくなっている。
そこで、インテリアを損なうことなく、かつ収納保管し易く、そして必要なときはいつでも容易に取り出して使用できるような態勢にしておくことが、今後の課題とされるようになった。
本考案は、このような課題を解決することを目的とし、すぐに見つけられ手が届くようなところに防災グッズを準備しておく手段を考案する。
【課題を解決するための手段】
【０００４】  上記目的を達成するため、本考案は次のような、防災グッズ収納用クッションを提供する。すなわち本考案は、４５ｃｍ四方の綿入りクッションを作り、内部には防災グッズの収納部を設け、防災グッズの取り出し口には紐を付属させて肩にかけて持ち運ぶことを可能とした、防災グッズ収納用クッションである。
【作用】
【０００５】  上記構成において、防災グッズは、防災グッズ収納用クッションの取り出し口から収納部に収納しておく。災害緊急時にはすぐに持ち出すことができ、中身を使用するときは、前記収納部の取り出し口から、防災グッズを取り出して使用する。
【実施例】
【０００６】  本考案の実施例について、以下、図面にしたがって本考案の構成が実際上どのように具体化されるかを、その作用とともに説明する。
図１は本考案の実施例の斜視図である。図１において１はクッションの外袋であり、点線で示した防災グッズ収納部３との間にクッション材２が詰まっている。外袋１は４５ｃｍ四方であり、防災グッズ収納部３には災害時に必要なものを複数個まとめて収納できる容積がある。また、クッション材２は防災グッズ収納部３に防災グッズを入れた状態でも４５ｃｍ四方のクッションカバーに全体が入るような適度な分量である。防災グッズの取り出し口４には開閉自在のファスナー５がついており、防災グッズの取り出し口４の内側にはマジックテープ６がついている。また、持ち運ぶ際に使用するための肩掛け紐７の両端が同じく内側に固定されている。避難袋として持ち運ぶ際にはファスナー５を開き、肩掛け紐７を取り出し、マジックテープ６を用いて防災グッズ取り出し口４を閉じておくことで容易に防災グッズがが取り出せ、また不意に防災グッズが出てこないようになっている。平常時にクッションとして使用するときには肩掛け紐７を内側に収納し、ファスナー５を閉めることで不意に防災グッズが出てこないようになっている。インテリアに合わせて好みのクッションカバーを選ぶことができるため、部屋の雰囲気を損なわずに保管することができる。図２は、本考案の実施例の垂直断面図である。
【考案の効果】
【０００７】  本考案によれば、以下の効果がある。
１．防災グッズの収納袋でありながらクッションとしての機能も有するので、室内のインテリアを損なうことなく、ソファーなどに置くことができる。
２．防災グッズを出し入れ容易な取り出し口を有するので、必要なときは簡単に防災グッズを取り出して使用することができる。
図の説明
【図面の簡単な説明】
【０００８】
【図１】本考案の実施例の斜視図
【図２】本考案の実施例の垂直断面図
【符号の説明】
【０００９】１  外袋
２  クッション材
３  防災グッズ収納部
４  防災グッズ取り出し口
５  ファスナー
６  マジックテープ
７  肩掛け紐
【図１】
0003152489.tif 000003
【図２】
0003152489.tif 000004
(57)【要約】      （修正有）【課題】病気のための食事制限や肥満防止のためのカロリーコントロールのカロリー計算をより身近に楽しく簡単で見やすく理解しやすく摂取カロリーを管理できる容器を提供する。【解決手段】日常の生活の中で管理できにくいカロリーコントロールを透明な容器の中に一枚１００キロカロリーの色分けされたチップを飲食時に摂取したカロリー分を容器に入れていくだけでカロリー摂取量を目で見て実感でき気持ちにも負担なく自己管理が出来る物である。容器は透明の円筒形の物でありチップは食品バランスを考えて色分けされているため透明である容器の中に摂取したカロリー分のチップを積み重ねていくだけで一日の栄養バランスも実感できる物である。容器の大きさは手のひらに納まるサイズなのでバッグの中にも無理なく携帯出来る物であり見た目もカラフルであり日々の形態にも負担にならない。【選択図】図３
0003152490.tif 000002
【実用新案登録請求の範囲】
【請求項１】
透明な容器にチップを入れてカロリー計算する容器
【請求項２】
透明な容器に食品バランスに色分けしたチップを入れてカロリー計算ができる
【考案の詳細な説明】
【技術分野】
【０００１】      本考案は病気のための食事制限や肥満防止のためのカロリーコントロールのカロリー計算をより身近に楽しく簡単で見やすく理解しやすく摂取カロリーを管理できる物である
【背景技術】
【０００２】      従来はカロリー表また手帳などはあるが立体的な形で一目見てわかる物はなかった
【考案の開示】
【考案が解決しようとする課題】
【０００３】      従来は書物であったり手帳であったりでその場で日常身近にカロリー計算をする事が難しくて出来なかったが本考案はコンパクトで透明な容器に摂取したカロリー分のチップを入れていく事により気持ちに負担もなく目で見て摂取したカロリーを計算と実感が出来る物である
【課題を解決するための手段】
【０００４】      コンパクトで携帯にも便利で透明な容器に摂取したカロリーチップを入れていくだけで一目で一日の摂取カロリーがわかり気持ちに負担なくカロリーコントロールが出来る  容器も形も常に持ちやすく見た目もカラフルで遊び感覚でカロリーコントロールが出来る
【考案の効果】
【０００５】      糖尿病患者の人からお年寄りなど誰でも簡単に一目でわかりやすく摂取カロリーの管理が出来て見た目にもカラフルで手軽さもあり負担なくカロリーコントロールが出来て一日の摂取カロリーを管理しやすい
【考案を実施するための最良の形態】
【０００６】      この考案の実施形態を図１に示す【０００７】      カロリーＢＯＸの本体は透明なプラスチック製であり円筒形になっていてその円筒形の外側にはメモリが設けられてある  チップはプラスチック製で赤・青・白・緑・黄色の５色のチップがある
【実施形態の効果】
【０００８】      ５色のチップを使い摂取したカロリー分のチップを容器に入れる事によりその都度カロリー計算をする事なく一目で摂取カロリーがわかる
【図面の簡単な説明】
【０００９】
【図１】      この考案の実施形態を示す図である
【図２】      図１の中に入れて使用するカロリーチップ
【図３】      図１の容器の中にカロリーチップを入れた状態である
【符号の説明】
【００１０】      ［図１］
１    容器本体    ２    ふた    ３    目盛り
［図２］
１    チップ本体
［図３］
１    容器の中にカロリーチップが入った状態
【図１】
0003152490.tif 000003
【図２】
0003152490.tif 000004
【図３】
0003152490.tif 000005
【手続補正書】
【提出日】平成21年3月30日(2009.3.30)
【手続補正１】
【補正対象書類名】実用新案登録請求の範囲
【補正対象項目名】全文
【補正方法】変更
【補正の内容】
【実用新案登録請求の範囲】
【請求項１】
：透明円筒状の容器には１００ｋｃａｌごとに目盛りがありチップ１枚を１００ｋｃａｌとしています  食事をすることにより摂取したカロリー数のチップを容器の中に入れていくものである自分が今どれだけのカロリーを摂取したかを実感できる容器、カロリーボックス
(57)【要約】      （修正有）【課題】田んぼで沈みにくい底広長靴を提供する。【解決手段】従来の長靴だと田植えなどで田んぼの中を移動するとき、ぬかるみに足をとられ動きにくい。対策として長靴の底廻りにホースをまくことによりぬかるみへの沈み込みが浅く、長靴の底の外側にふちをつける事により解決した。【選択図】図２
0003152486.tif 000002
【実用新案登録請求の範囲】
従来の長靴の外側下部廻りを広くふちをつける。
【考案の詳細な説明】
考案の詳細な説明
従来の長靴だと田植えなどで田んぼの中を移動するとき、ぬかるみに足をとられ動きにくい。対策として長靴のそこ廻りにホースをまいてみたら従来よりぬかるみへの沈み込みが浅く、長靴の底の外側にふちをつける事を思いついた。
【図面の簡単な説明】  １  平面図と断面図
２  側面図
３  斜面図
0003152486.tif 000003
0003152486.tif 000004
0003152486.tif 000005
【手続補正書】
【提出日】平成21年3月17日(2009.3.17)
【手続補正１】
【補正対象書類名】実用新案登録請求の範囲
【補正対象項目名】全文
【補正方法】変更
【補正の内容】
【実用新案登録請求の範囲】
【請求項１】
長靴の外側下部廻りに広く縁をつけたことを特徴とする長靴
【手続補正２】
【補正対象書類名】明細書
【補正対象項目名】全文
【補正方法】変更
【補正の内容】
【考案の詳細な説明】
【考案の詳細な説明】
長靴だと田植えなどで、田んぼの中を移動するとき、ぬかるみに足をとられ動きにくかったので、対策として長靴の外側下部に、ゴムホースをまいてみたら、沈み込みが浅く動きやすかった。
【図面の簡単な説明】
【図１】  平面図と断面図
【図２】  側面図
【図３】  斜面図
【手続補正３】
【補正対象書類名】図面
【補正対象項目名】全図
【補正方法】変更
【補正の内容】
【図１】
0003152486.tif 000006
【図２】
0003152486.tif 000007
【手続補正書】
【提出日】平成21年6月8日(2009.6.8)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【考案の詳細な説明】
長靴だと田植えなどで、田んぼの中を移動するとき、ぬかるみに足をとられ動きにくかったので、対策として長靴の外側下部に、ゴムホースをまいてみたら、沈み込みが浅く動きやすかった。
【図面の簡単な説明】
【図１】  平面図と断面図
【図２】  側面図
(57)【要約】      （修正有）【課題】チェスの駒のように立体的に人形等模型を固定する将棋駒を提供する。【解決手段】将棋駒２は、簡単に交換できるように分離した人形等模型１を固定したものとし、将棋駒２に付けた磁石と人形等模型１の底部に付けた金属板及び金属棒で磁力により固定することにより課題を解決する。【選択図】図１
0003152488.tif 000002
【実用新案登録請求の範囲】
【請求項１】
簡単に交換できるように分離した人形等模型を固定する将棋駒。
【請求項２】
将棋駒に付けた磁石と人形等模型の底部に付けた金属で磁力により将棋駒と人形等模型を固定する固定具。
【考案の詳細な説明】
【技術分野】
【０００１】本考案は、簡単に交換できるように分離した人形等模型を磁力により固定する将棋駒に関するものである。
【背景技術】
【０００２】従来は、将棋駒は将棋盤の一定の場所（相手側から３列内）に入った時には裏返して使用するものであるため、チェスの駒のように駒が立体的なものでは裏返すことができず、また駒の立体部に何らかの目印を付けても細かいものに限られるため一見して識別することが難しいことから将棋駒の上面と下面は平板に文字が書かれたものであった。
【考案の開示】
【考案が解決しようとする課題】
【０００３】従来の将棋駒は、駒の名前が漢字で書かれていることから幼年者や未経験者には難しいゲームであるという印象を与え敬遠されるという難点がある。また、将棋駒は将棋盤の一定の場所（相手側から３列内）に入った時には将棋駒を裏返して使用するものであるため、チェスの駒のように立体的にできないという難点がある。本考案は、この難点を解決しようとするものである。
【課題を解決するための手段】
【０００４】将棋駒は、簡単に交換できるように分離した人形等模型を固定するものとし、将棋駒に付けた磁石と人形等模型の底部に付けた金属で磁力により将棋駒と人形等模型を固定するものとすることにより課題を解決するものである。
【考案の効果】
【０００５】本考案により、難しいゲームであるという印象を与え敬遠されるという難点は、固定する人形等模型を好きな物（人物・動物など）にできることで幼年者や未経験者が興味を持てるようになり解決され、経験者にも好きな人形等模型を選びどの将棋駒に付けるかという新しい面白さが生まれる。また、将棋駒に付けた磁石と人形等模型の底部に付けた金属で磁力により将棋駒と人形等模型を固定できるものとしたことで、将棋駒を裏返して使用する場合に磁石で固定した人形等模型を、駒の上面から外し裏返した下面に固定することができるものとなるため、チェスの駒のように立体的にできないという難点が解決される。
【考案を実施するための最良の形態】
【０００６】将棋駒は、簡単に交換できるように分離した人形等模型を固定できるようにしたものとする。将棋駒と人形等模型の固定具は、将棋駒の中央部に付けた磁石と人形等模型の底部に付けた金属で、磁力により将棋駒の上面及び下面と人形等模型が回転しないように固定するものとする。
【実施例】
【０００７】簡単に交換できるように分離した人形等模型１の底部に金属板４と金属棒５を付け、将棋駒２の上面と下面に人形等模型の金属板用穴７を設けて、その中央に人形等模型の金属棒用穴８を有する磁石６を付ける。
【図面の簡単な説明】
【０００８】
【図１】考案した人形等模型を固定した将棋駒の斜視図である。
【図２】考案した人形等模型と将棋駒の断面図である。
【図３】考案した人形等模型の下面図である。
【図４】考案した将棋駒の上面図（下面図と同じ）である。
【符号の説明】
【０００９】１  人形等模型
２  将棋駒
３  人形等模型と将棋駒の固定用具の位置
４  金属板
５  金属棒
６  磁石
７  人形等模型の金属板用穴
８  人形等模型の金属棒用穴
【図１】
0003152488.tif 000003
【図２】
0003152488.tif 000004
【図３】
0003152488.tif 000005
【図４】
0003152488.tif 000006
【手続補正書】
【提出日】平成21年2月20日(2009.2.20)
【手続補正１】
【補正対象書類名】実用新案登録請求の範囲
【補正対象項目名】全文
【補正方法】変更
【補正の内容】
【実用新案登録請求の範囲】
【請求項１】
簡単に交換できるように分離した人形等模型を固定した将棋駒。
【請求項２】
将棋駒と人形等模型を磁力により固定するために人形等模型の底部に付ける金属と将棋駒に付けた磁石。
【手続補正書】
【提出日】平成21年5月8日(2009.5.8)
【手続補正１】
【補正対象書類名】実用新案登録請求の範囲
【補正対象項目名】全文
【補正方法】変更
【補正の内容】
【実用新案登録請求の範囲】
【請求項１】
簡単に交換できるように分離した人形等模型を固定した将棋駒。
【請求項２】
将棋駒と人形等模型を磁力により固定するための、人形等模型の底部に付ける金属と将棋駒に付けた磁石からなる固定具。
(57)【要約】      （修正有）【課題】マスクの耳掛け紐の張力による変形を防ぎ顔面に密着して空気漏れを防止し、衛生マスクとしての、機能と装着感向上を図り、また安価に製造することが出来るマスクを提供する。【解決手段】本マスクはガーゼ、綿布等から形成されているマスク本体側端部(耳掛け紐穴内部等)に支骨（樹脂製チューブ又は成形材等）を取り付け、マスクの変形、空気漏れを防ぎ機能、装着感の向上を図る。【選択図】図１
0003152428.tif 000002
【実用新案登録請求の範囲】
【請求項１】
布、不織布等の材料から形成されているマスク本体と、このマスク両側端部にそれぞれ取り付けられている掛け紐とから成る支骨入り衛生マスクであって、このマスクの両側端部にそれぞれある掛け紐穴内部に樹脂製中空の支骨と掛け紐が取り付けられていることが特徴である支骨入り衛生マスク。
【考案の詳細な説明】
【技術分野】
【０００１】
本考案は、鼻口等を覆うマスク本体と、このマスク本体の両側部に取り付けられているゴム紐等の耳掛け紐から成る衛生マスクに関するものである。
【背景技術】
【０００２】
周知の様に、鼻口等を覆う衛生マスク本体は、マスク生地、この生地に取り付けられているフィルター生地などから成り立っている。そしてその本体の両側部にはゴム紐などから成る耳掛け紐が取り付けられている。従って耳掛け紐を耳に掛けるとマスク本体で鼻口等の顔面を覆うことができ、所期の目的が達成される。
【先行技術文献】
【特許文献】
【０００３】
【特許文献１】特開２００６−２３０９６２号
【考案の概要】
【考案が解決しようとする課題】
【０００４】
従来、ガーゼ、木綿布製等の一般的な衛生マスクにおいて、顔面に耳掛け紐により装着された時、耳掛け紐の張力によって本体両側部の耳掛け紐取り付け部は、引き寄せられ縮められてマスク本体が変形し、マスク側部と顔面の密着が悪くなり、空気漏れを生じマスク本来の目的機能を損なうものである。又この場合マスクの掛け心地が悪く見栄えも良くない。又、頭掛け紐であっても同様である。
本考案は、これ等を防止しマスクの機能、空気漏れと掛け心地の向上を図り、この様な従来の問題を解決した衛生マスクを産み出することを目指す。マスク本体は平面的ではあるが、着用すると顔面によく密着して衛生マスクとしての機能を発揮し、しかも安価に製造することが出来る様にする事を課題としている。
特許文献１にも本体側部に形状記憶ポリマーを取り付けることが提案されているが、本考案は、特別な材料を用いず普通一般の材料を用い、従来のマスクの形態を変えることなく安価かつ簡単に空気漏れを防ぐことを目指すものである。又側端部に支骨を取り付けることによって紐の部分をも顔面に密着させ上記の課題を解決しようとするものである。
【課題を解決するための手段】
【０００５】
本考案は上記の目的を達成するため次のように工作を行う。
本マスクはガーゼ、布、不織布等から形成されているマスク本体（１）の両側部に取り付けられている耳掛け紐(３)からなる衛生マスクにおいて、マスク本体(１)の両側端部に設けられている耳掛け紐穴（２）の内部に樹脂、その他製の適度な強度、弾力(マスクの材質、厚さ等によりこの度合いは異なる)を有するチューブ又は成形材（棒状など）の支骨（４）を挿入し取り付ける。（穴がない場合は側端部に縫い糸又は接着剤などで取り付ける）その中へ耳掛け紐（３）を通して取り付ける。頭掛け紐で有っても同様である。
これによりマスクを装着した際、顔面への密着性が向上し、空気漏れを防ぎ、又マスクの変形を防ぐことができる。このためマスク本来の機能を向上することができる。又変形を防ぐことでマスクの装着感を向上することができ又見栄えもよくなる。これは立体的マスクでも良い
要するに、マスク本体(１)に設けられている掛け紐穴（２）の中に樹脂製のチューブ又は成形材の支骨（４）を取り付けることである。
【考案の効果】
【０００６】
本考案は、平面的なマスクにおいて、耳掛け紐の張力によるマスクの変形を防止し、又本体側端部に取り付けられたチューブ又は成形材製の支骨(4)の強度及び弾力によって、耳掛け紐の張力を顔面への密着する作用に変える様になる。
これによりマスクの変形、空気漏れを防止し、マスク本来の機能が向上する。又マスクの装着感、見栄えもよくなる。またこの耳掛け紐穴の内部へ支骨を取り付けることにより支骨が本体の生地で覆われ外面に現れず、又感触（肌触り）も良く見栄えもよい。又チューブを用いることにより肌当りも柔らかになる。又、紐通しも容易になる。これは頭掛け紐であっても同様である。又立体的なマスクでもよい。
【図面の簡単な説明】
【０００７】
【図１】本考案の実施を示す平面図と紐穴部の断面図である
【考案を実施するための形態】
【０００８】
図１により本考案実施の形態を説明する。本考案を実施する衛生マスクの形態も従来周知の一般衛生マスクと同様に平面が略方形を呈する本体(１)から成っている。そしてこのマスク本体(１)の両側端部（５）にゴム紐などから成る一対の掛け紐(３)が取り付けられている。
マスク本体(１)は種々材料から構成される。例えばガーゼ木綿布などを積層構造に形成する。又マスク生地の間に各種のフィルター材を、又抗菌剤、防臭剤などを入れることができる。この本体(１)の両側端部は裏側に折り曲げられる等して掛け紐穴（２）を構成される。この中へゴム紐又はその他の紐を通し取り付ける。
このように構成されたマスク本体(１)の両側端部の掛け紐穴(２)の内部に適度な強度、弾力（この度合いは本体の材質又は構成する厚み等によって異なる）を持つ樹脂、又はその他製のチューブ又は成形材の支骨(４)を挿入し縫い付け又は接着剤などで取り付ける。このチューブの中を通して耳掛け紐を取り付ける。掛け紐は頭に掛ける紐でも良い。又立体的なマスクでもよい。
【実施例】
【０００９】
図１の通り製作した
本体(１)としてガーゼを一方向６枚に長く折り更に９０度向きを変え３折する。これで１８層になる。その折れ目の内側を縫い付けて耳掛け紐穴（２）を両側端に構成する。
次に支骨(４)を（電気絶縁用の外形４ミリ厚さ０，５ミリの白いビニールチューブを利用）紐穴の長さより少し短く作り、これを両紐穴の中へ挿入し、外側より縫い糸（６）  をもってチューブを固定するため外から縫い付けた。次いで、耳掛け紐（３）としてこの中空の支骨の中にゴム紐をそれぞれ通して取り付ける。
使用感。  マスクの形が安定し、顔面への密着がよく、空気漏れもなく、装着感が良い、見栄えも良い。これにより機能も向上したと感ずる。
【符号の説明】
【００１０】
（！）  マスク本体
（２）  耳掛け紐穴
（３）  耳掛け紐
（４）  支骨（  樹脂製のチューブ  又は  成形材  ）
（５）  側端部
（６）  縫付け糸 
【図１】
0003152428.tif 000003
(57)【要約】      （修正有）【課題】金属製のハトメを使わず、環境に優しい製作容易な横断幕を提供する。【解決手段】布地１と三角形状革製補強部材２とインサイドベルト製ロープ留め部材３とよりなり、ロープ留め部材３は補強部材２と共に四隅部及び周辺部に同時に縫着したことを特徴とする。用済み後の焼却時にハトメ分別処理が不必要となるなどのほか、補強部材２とロープ留め部材３と同時加工するので、仕立て工数が著しく短縮するなどの経済効果があるばかりでなく、ハトメ孔がなく、結び目が表面に出ないという美的効果も誘起される。【選択図】図２
0003152421.tif 000002
【実用新案登録請求の範囲】
【請求項１】
布地と三角状革製補強部材とインサイドベルト製ロープ留め部材とよりなり、前記ロープ留め部材は、前記補強部材と共に前記布地の四隅部及び周辺部に同時に縫着したことを特徴とする環境に優しい横断幕。
【考案の詳細な説明】
【技術分野】
【０００１】
本考案は、使用済み後に特別な工程を必要とせず、焼却可能な、横断幕に関するものである。
【背景技術】
【０００２】
四隅部及び周辺部に縫着した補強部に、金属製のハトメを固定した横断幕が広く実用に供されているが、使用済み後、廃却時の焼却処理工程で、金属製のハトメを取り除く前処理が必要であった。
【０００３】
この改善策として、本出願人は、金属製のハトメを使わず、ロープ捲き込み仕立て横断幕を出願した。ロープ捲き込み仕立て横断幕は、辺部の折り返し部にロープを捲き込みながら包み込み、辺部を縫着した辺部折り返し部と、辺部折り返し部の端部から引き出されたロープ材よりなる隅部取付部とを備えた横断幕である（実登3105616）。金属製のハトメを使用していないので、廃却時の焼却処理工程で、金属製のハトメを取り除く前処理は不必要となった。しかしながら、辺部の折り返し部にロープを捲き込みながら包み込む工程が付随していた。
【特許文献１】実登3105616号公報
【考案の開示】
【考案が解決しようとする課題】
【０００４】
本考案は、従来の有するこれらの問題点に鑑みて、発案されたものであり、その目的とするところは、金属性のハトメを使わず、横断幕固定用のロープを装通する機能を有する部材を四隅部と周辺部に配置し、環境に優しい製作容易な横断幕を提供することにある。
【課題を解決するための手段】
【０００５】
本考案の環境に優しい横断幕は、布地と三角状革製補強部材とインサイドベルト製ロープ留め部材とよりなり、前記ロープ留め部材は、前記補強部材と共に前記布地の四隅部及び周辺部に同時に縫着したことを特徴とする。
【考案の効果】
【０００６】
本考案の横断幕は、金属製のハトメがないので、ハトメ打ち込み時間が省けるうえに、用済み後の焼却時にハトメ分別処理が不必要となるなどのほか、補強部材とロープ留め部材と同時加工するので、仕立て工数が著しく短縮するなどの経済効果があるばかりでなく、ハトメ孔がなく、結び目が表面に出ないという美的効果も誘起される。
【考案を実施するための最良の形態】
【０００７】
ロープ留め部材を補強部材と共に布地の四隅部及び周辺部に同時に縫着することによって、金属製のハトメを使わず、四隅部と周辺部の強度を確保し、且つ環境に優しい製作容易な横断幕を実現した。
【実施例１】
【０００８】
図1（ａ）は、本考案の横断幕の背面図である。布地１の四隅部及び周辺部に補強部材２を縫合した図である。図1（ｂ）は、図1（ａ）のＡ部拡大図であり、四隅部共通である。布地１の素材は、テトロン系又はポリエステル系のポンジ、トロピカルを使用し、布地１の周辺は折り返し、縫目１１に沿って縫合されている。
【０００９】
図2は、四隅部（図1Ａ）において、ロープ５を装着した横断幕の部分背面図である。図2において、布地１の四隅部に補強部材２を縫いつけるとき同時にロープ留め部材３を縫合する。補強部材２は革製で一辺約７ｃｍの三角形状である。ロープ留め部材３は、幅２５ｍｍのインサイドベルトである。補強部材２の三角形の周辺に沿って約５ｍｍ内側を縫目２１に沿って縫合する。
【００１０】
図3は、周辺部において、ロープ５を装着した横断幕の部分背面図である。図3において、布地１の周辺部に補強部材２を縫いつけるとき同時にロープ留め部材３を縫合する。補強部材２は革製で一辺約７ｃｍの三角形状である。ロープ留め部材３は、幅２５ｍｍのインサイドベルトである。補強部材２の三角形の周辺に沿って約５ｍｍ内側を縫目２１に沿って縫合する。布地１が長尺の場合、長尺のほぼ中央の周辺に沿って補強部材２を縫合する。長尺の場合、補強部材２の取付位置は、ほぼ短辺の長さを目安とするが、横断幕の大きさによって変わるので、上記の位置に限定されるものではない。
【００１１】
図4は、ロープ留め部材４の形状が、横断幕の使用時にインサイドベルトを引き出して使う方式を示す。図4において、布地１の周辺部に補強部材２を縫いつけるとき同時にロープ留め部材４を縫合する。補強部材２は、革製で一辺が約７ｃｍの三角形状である。ロープ留め部材４は、幅２５ｍｍのインサイドベルトであり、逆コの字形状に折り畳まれている。ロープ留め部材４は、補強部材２の三角形の周辺より約５ｍｍ内側を縫目２１に沿って縫合する。図4（ａ）は、インサイドベルトが折り畳まれた状態であり、図4（ｂ）は、周辺部外側に引き出して使用したときの状態を示す。
【産業上の利用可能性】
【００１２】
金属製のハトメを使用しないため、用済み後の焼却時に分別処理を考慮する必要がないという利点があり、また、横断幕を自動車などに設置した場合、自動車の車体を傷つけることもなく、傷つきやすい設置物などの用途にも摘要する。
【図面の簡単な説明】
【００１３】
【図１】（ａ）本考案の横断幕の背面図である。（ｂ）図1の（ａ）のＡ部拡大図である。
【図２】四隅部（図1ｂ）において、ロープを装着した図である。
【図３】周辺部において、ロープ留め部材にロープを装着した図である。
【図４】（ａ）周辺部において、ロープ留め部材が折り畳まれた状態図である。（ｂ）ロープ留め部材にロープを装着した図である。
【符号の説明】
【００１４】
１  布地
２  補強部材
２１  縫目
３、４  ロープ留め部材
５  ロープ
【図１】
0003152421.tif 000003
【図２】
0003152421.tif 000004
【図３】
0003152421.tif 000005
【図４】
0003152421.tif 000006
(57)【要約】      （修正有）【課題】目詰まり防止策を講じることで、不良発生等を防止し、簡素化を高め、高付加価値製品の製造を可能とする布製や紙製のシート研磨材を提供する。【解決手段】本研磨材は、矩形状又は円形状の布製又は紙製のシート研磨材１からなり、中央に適宜長幅の目詰まり防止貫通穴２を備えてなるものである。目詰まり防止貫通穴２は直線状で、両端に縁を有する細長切欠き穴である。シート研磨材１は、木材、合成樹脂等からなる直方体又は円柱体の研磨工具の底面に固定したものである。【選択図】図１
0003152436.tif 000002
【実用新案登録請求の範囲】
【請求項１】
矩形状又は円形状の布製又は紙製のシート研磨材からなり、中央に適宜長幅の目詰まり防止貫通穴を備えてなることを特徴とする研磨材。
【請求項２】
前記目詰まり防止貫通穴は直線状で、両端に縁を有する細長切欠き穴であることを特徴とする請求項１記載の研磨材。
【請求項３】
前記シート研磨材は、木材、合成樹脂等からなる直方体又は円柱体の研磨工具の底面に同形状のシート研磨材を固定したことを特徴とする請求項１記載の研磨材。
【考案の詳細な説明】
【技術分野】
【０００１】
本考案は、自動車、家具、楽器、家電製品などの研磨から、ニューセラミックスやチタン合金などの難材の研磨までを行う研磨材に関する。
【背景技術】
【０００２】
一般的な研磨工程は、荒番手（研磨粒子が大きい）から研磨作業を開始した場合、次々細番手（研磨粒子が小さい）へと仕上げまで進む。
ただし、布製や紙製の研磨材は、目詰まりを起こしやすく、荒番手の削り跡が、最終仕上げで「傷」としてはっきり現れる。これは削った粉塵が排除しきれずに目詰まりを起こして研磨材に付着してしまい研磨性を生かせないことが原因である。
止む無く再仕上げが必要となる。
従来、球面やＲ面を有する壺や花瓶などの木彫り製品の表面を研磨する木彫仕上げ用工具が知られている（特許文献１を参照）。
この公知技術は、木材、合成樹脂等からなる直方体の基台に積層されたポリエチレンフォームからなる適宜厚さのスポンジと、該スポンジに合成樹脂・硬木材からなる補強材を介して接着されるサンドペーパー又は前記スポンジに直接接着されるサンドペーパーとからなる球面やＲ面を有する木彫り製品の内外表面を研磨するための木彫仕上げ用工具である。
【先行技術文献】
【特許文献】
【０００３】
【特許文献１】特開２００３−２７５９６７号公報
【考案の概要】
【考案が解決しようとする課題】
【０００４】
本考案は、目詰まり防止策を講じることで、不良発生等を防止し、簡素化を高め、高付加価値製品の製造を可能とする布製や紙製の研磨材を提供することを目的とする。
【課題を解決するための手段】
【０００５】
そのために、本考案の研磨材は、矩形状又は円形状の布製又は紙製のシート研磨材からなり、中央に適宜長幅の目詰まり防止貫通穴を備えてなるものである。
前記目詰まり防止貫通穴は直線状で、両端に縁を有する細長切欠き穴である。
前記シート研磨材は、木材、合成樹脂等からなる直方体又は円柱体の研磨工具の底面に同形状のシート研磨材を固定したものである。
【考案の効果】
【０００６】
本考案の研磨材は、矩形状又は円形状の布製又は紙製のシート研磨材からなり、中央に直線状適宜長幅の目詰まり防止貫通穴を備えてなるため、研磨された木粉は目詰まり防止貫通穴に集まり研磨材中に残ることなく排除され、かつ目詰まり防止貫通穴は加熱防止にもなる。
【図面の簡単な説明】
【０００７】
【図１】本考案の矩形状のシート研磨材の平面図である。
【図２】本考案の円形状のシート研磨材の平面図である。
【図３】本考案の矩形状のシート研磨材を直方体の研磨工具に装着した状態の斜視図である。
【図４】本考案の円形状のシート研磨材を円柱体の研磨工具に装着した状態の斜視図である。
【考案を実施するための形態】
【０００８】
本考案の研磨材の一実施例を添付図面に基づいて、以下に説明する。
本考案の研磨材は、図１の平面図に示すように、矩形状の布製又は紙製のシート研磨材１からなり、中央に適宜長幅の目詰まり防止貫通穴２を備えてなるものである。
前記シート研磨材の表面には、適宜粒度の研磨剤が固着されており、シート研磨材の裏面には固定用粘着剤を塗布することもできるし、両面接着テープを貼着することもできる。
前記目詰まり防止貫通穴２は、直線状で、両端に縁を有する細長切欠き穴である。
さらに、図２の平面図に示すように、本考案の研磨材は、円形状の布製又は紙製のシート研磨材３からなり、中央に適宜長幅の目詰まり防止貫通穴４を備えてなるものである。
前記シート研磨材の表面には、適宜粒度の研磨剤が固着されており、シート研磨材の裏面には固定用粘着剤を塗布することもできるし、両面接着テープを貼着することもできる。
前述と同様に、前記目詰まり防止貫通穴４は直線状で、両端に縁を有する細長切欠き穴である。
【０００９】
次に、本考案の研磨材の操作動作を添付図面に基づいて、以下に説明する。
図３の斜視図に示すように、本考案の矩形状のシート研磨材１は、木材、合成樹脂等からなる直方体の研磨工具５の底面に、固定用粘着剤又は両面接着テープにより固定される。
前記研磨工具５の底面に固定されたシート研磨材１を木材製品に当てて、左右往復や旋回により仕上げを行うと、前記シート研磨材１により研磨された削り粉は中央に設けられた目詰まり防止貫通穴２に集まり、目詰まりを起こすことなく、木材の組織、構造（放射組織、交錯木理・波状木理）など杢（もく）の紋様などを鮮明に現すことが出来る。
また、図４の斜視図に示すように、本考案の円形状のシート研磨材３は、木材、合成樹脂等からなる円柱体の研磨工具６の底面に、固定用粘着剤又は両面接着テープにより固定される。
前記研磨工具６の底面に固定されたシート研磨材３を木材製品に当てて、左右往復や旋回により仕上げを行うと、前記シート研磨材３により研磨された削り粉は中央に設けられた目詰まり防止貫通穴４に集まり、目詰まりを起こすことなく、木材の組織、構造（放射組織、交錯木理・波状木理）など杢（もく）の紋様などを鮮明に現すことが出来る。
【００１０】
さらに、本考案の円形状のシート研磨材３を電動工具の研磨材に使用した場合でも、電気ドリルの回転により仕上げを行うが、シート研磨材３により研磨された木粉は、目詰まり防止貫通穴４に集まり研磨材中に残ることなく排除され、かつ目詰まり防止貫通穴４は加熱防止にもなる。
【符号の説明】
【００１１】
１  シート研磨材
２  目詰まり防止貫通穴
３  シート研磨材
４  目詰まり防止貫通穴
５  研磨工具
６  研磨工具
【図１】
0003152436.tif 000003
【図２】
0003152436.tif 000004
【図３】
0003152436.tif 000005
【図４】
0003152436.tif 000006
(57)【要約】      （修正有）【課題】夜釣りの際海中に簡易に照明を当てて、光りを好む魚類が集めることができる照明灯をつけたウキを提供する。【解決手段】当該釣り用ウキは、水に浮きやすくするため軽い素材（例えばプラスチック等）で製作したウキ本体１と、本体内に電源・照明を取りつける為浮力不足にならない様にするブイ２と、出来るだけ透明で軽く光が透りやすい易い素材３と、防水の為の処置４と、釣りの道糸通し５と、乾電池などの電源６と、ランプなど発光体７、とで構成する。この構成により発光体７の光は、水中に向けて当たるようになる。ウキ本体１と光が透りやすい易い素材３とをつなぎ、絞める事で電源スイッチが入る様に電気回路を構成する。【選択図】図２
0003152466.tif 000002
【実用新案登録請求の範囲】
【請求項１】
夜釣り用ウキの照明を下向き（水中）に取りつける
【考案の詳細な説明】
【技術分野】
【０００１】
本考案は下向きに照明を付けた釣り用ウキに関するものである。
【背景技術】
【０００２】
夜釣りの際光りを好む魚を寄せる際は防波堤から又船から海中に向かって照明をし集魚をしていた。
【先行技術文献】
【特許文献】
【０００３】
【特許文献１】特開２００５−１６８３０６公報
【考案の概要】
【考案が解決しようとする課題】
【０００４】
夜釣りの際海中に照明を当てると光りを好む魚類が集まる事は判っていても照明設備を別途所持する必要があった。
【課題を解決するための手段】
【０００５】
ウキと照明と一体化し照明を下向きにすることで集魚灯になる。
【考案の効果】
【０００６】
光りを好む魚類・アジ・サバ・イサキ・イカ等に効果がある。
【図面の簡単な説明】
【０００７】
【図１】本考案の夜釣り用集魚灯ウキの実施例を示す断面図である。
【図２】本釣り用ウキの正面図である。
【図３】本釣り用ウキの発光体にＬＳＤを使用した図である。
【考案を実施するための形態】
【０００８】
本考案のウキは夜釣りに使用するウキを基本に考えたもので暗い海面で魚信を明視するために考えられた照明付きのウキ・即ち照明は上向きにつくられていたものを下向きに変更したものでその結果・集魚効果につながるものである。
【実施例】
【０００９】
以下添付図に従って・一実施例を説明する。１・ウキ本体  水に浮きやすく作る必要から軽い素材が良（例えばプラスチック等）  ２・本体内に電源・照明を取りつける為浮力不足にならない様・ブイの役割をする  ３・出来るだけ透明で軽く光りの透おり易い素材  ４・防水の為の処置が必要  ５・釣りの道糸通し  ６・電源(図１の場合単３電池  図３の場合ボタン電池)  ７・発光体（図１の場合３ボルト用ランプ図３の場合ＬＳＤ）図内符号・１と３と・つなぎ絞める事で電源スイッチが入る様に電気回路に工作する。
【符号の説明】
【００１０】
１            ウキ本体
２            浮力を付けるため
３            出来るだけ透明な物・本体との間は防水が可能な様に接続
４            防水の為の処置
５            道糸通し
６            電源
７            ランプ又ＬＳＤ
【図１】
0003152466.tif 000003
【図２】
0003152466.tif 000004
【図３】
0003152466.tif 000005
【手続補正書】
【提出日】平成21年5月25日(2009.5.25)
【手続補正１】
【補正対象書類名】実用新案登録請求の範囲
【補正対象項目名】全文
【補正方法】変更
【補正の内容】
【実用新案登録請求の範囲】
【請求項１】
夜釣り用ウキの照明を備えた夜釣り用ウキであって、前記照明を下向きに取り付けた夜釣り用ウキ。
【手続補正２】
【補正対象書類名】明細書
【補正対象項目名】０００７
【補正方法】変更
【補正の内容】
【０００７】
【図１】本考案の夜釣り用集魚灯ウキの実施例を示す断面図である。
【図２】本釣り用ウキの正面図である。
【図３】本釣り用ウキの発光体にＬＥＤを使用した図である。
【手続補正３】
【補正対象書類名】明細書
【補正対象項目名】０００８
【補正方法】変更
【補正の内容】
【０００８】
本考案のウキは夜釣りに使用するウキを基本に考えたもので暗い海面で魚信を明視するために考えられた照明付きのウキ・即ち照明は上向きにつくられていたものを下向き（水中）に変更したものでその結果・集魚効果につながるものである。
【手続補正４】
【補正対象書類名】明細書
【補正対象項目名】０００９
【補正方法】変更
【補正の内容】
【０００９】
以下添付図に従って・一実施例を説明する。１・ウキ本体  水に浮きやすく作る必要から軽い素材が良（例えばプラスチック等）  ２・本体内に電源・照明を取りつける為浮力不足にならない様・ブイの役割をする  ３・出来るだけ透明で軽く光りの透おり易い素材  ４・防水の為の処置が必要  ５・釣りの道糸通し  ６・電源(図１の場合単３電池  図３の場合ボタン電池)  ７・発光体（図１の場合３ボルト用ランプ図３の場合ＬＥＤ）図内符号・１と３と・つなぎ絞める事で電源スイッチが入る様に電気回路に工作する。
【手続補正５】
【補正対象書類名】明細書
【補正対象項目名】００１０
【補正方法】変更
【補正の内容】
【００１０】
１            ウキ本体
２            浮力を付けるため
３            出来るだけ透明な物・本体との間は防水が可能な様に接続
４            防水の為の処置
５            道糸通し
６            電源
７            ランプ又ＬＥＤ
(57)【要約】      （修正有）【課題】オフィスや自宅の中における貴重品等を保管する場所として、より犯罪者や他人にわかりにくく、安全な場所であり、簡単に開閉でき、靴や鞄を収納する場所としても使用できる後部収納ボックスを有する隠し物入れ付き小机を提供する。【解決手段】小机本体２と、小机本体の背板部分２に取り付けることが出来る後部収納ボックス３からなることを特徴とする。【選択図】図１
0003152414.tif 000002
【実用新案登録請求の範囲】
【請求項１】
事務机の下に設置して使用する小机であって、小机本体の背板部分に、脱着可能な直方体型の後部収納ボックスを有することを特徴とする、隠し物入れ付き小机。
【請求項２】
事務机の天板の奥部下面に取り付けられた梁状の構造物に当たらないよう、前記後部収納ボックスの高さは、前記小机本体よりも低めになっていることを特徴とする、請求項１に記載の小机。
【請求項３】
前記後部収納ボックスの横幅は、小机本体の横幅と同じ長さであることを特徴とする、請求項１に記載の小机。
【請求項４】
前記後部収納ボックスは、側面に扉を有することを特徴とする、請求項１に記載の小机。
【請求項５】
前記後部収納ボックスの側面の扉は、錠を有することを特徴とする、請求項４に記載の小机。
【考案の詳細な説明】
【技術分野】
【０００１】
この考案は、小机本体の背板部分（２）に、脱着可能な直方体型の後部収納ボックス（３）を有することを特徴とする、隠し物入れ付き小机（１）に関する考案である。この考案で「小机（１）」とは、事務机の下に置く箱型の机のことをいう。書類などを入れるために抽斗式になっているものが多い。この考案で「小机本体」とは、「小机（１）」のうち「後部収納ボックス（３）」以外の部分をいう。
【背景技術】
【０００２】
空き巣犯罪が巧妙化している昨今においては、オフィスや自宅の中における有価証券や実印等貴重品を保管する場所として、より犯罪者にわかりにくく、安全な場所が求められている。また、有価証券や実印程重要ではなくても、鍵やカード類、日記等、日常的に使うものを、他人に見られないよう安全に保管できる場所も求められている。さらに、オフィスなどで、事務机の下に置かれることの多い靴、鞄などを保管する場所も求められている。
しかし、従来は、貴重品の保管場所として、家庭用の金庫は存在していたが、その外観からすぐに金庫であることがわかり、金庫ごと盗難にあう危険性もある。また金庫は開閉が複雑で、日常的に使うものの保管場所としては適さない。さらに、事務机の下に置かれることが多く毎日のように使用する靴、鞄などの保管場所はあれば便利ではあるが、従来そのようなものは存在していなかった。
【考案の開示】
【考案が解決しようとする課題】
【０００３】
本考案は上記事情に鑑み、オフィスや自宅の中における有価証券や実印等の貴重品や鍵、カード類、日記等を保管する場所として、より犯罪者や他人にわかりにくく、安全な場所であり、簡単に開閉できる後部収納ボックス（３）を有する隠し物入れ付き小机（１）を提供することを目的とする。また、事務机の下を整理できるように、靴や鞄を収納する場所としても使用できる後部収納ボックス（３）を有する、隠し物入れ付き小机（１）を提供することを目的とする。
【課題を解決するための手段】
【０００４】
第１考案の小机（１）は、事務机の下に設置して使用する小机（１）であって、小机本体の背板部分（２）に、脱着可能な直方体型の後部収納ボックス（３）を有することを特徴とする、隠し物入れ付き小机（１）である。第２考案の小机（１）は、事務机の天板の奥部下面に取り付けられた梁状の構造物に当たらないよう、前記後部収納ボックス（３）の高さは、前記小机本体よりも低めになっていることを特徴とする、請求項１に記載の小机（１）である。第３考案の小机（１）は、前記後部収納ボックス（３）の横幅は、小机本体の横幅と同じ長さであることを特徴とする、請求項１に記載の小机（１）である。第４考案の小机（１）は、前記後部収納ボックス（３）は、側面に扉を有することを特徴とする、請求項１に記載の小机（１）である。第５考案の小机（１）は、前記後部収納ボックス（３）の側面の扉は、錠（４）を有することを特徴とする、請求項４に記載の小机である。
【考案の効果】
【０００５】
第１考案によれば、小机（１）の後部に物入れが付いているとは、一般には想像し難く、貴重品等を保管する場所として適している。第２考案によれば、本来事務机に入れるべき書類等の収納量を少なくすることなく、小机（１）を事務机の下にすっきり収めることができる。第３考案によれば、事務机の正面から見た時に、隠し物入れである後部収納ボックス（３）を目立たなくさせることができる。第４考案によれば、側面に扉があることにより、簡単に隠し物入れである後部収納ボックスに、貴重品等を収納できる。第５考案によれば、該ボックスを施錠できるため、より安全に貴重品等を保管することができる。
【図面の簡単な説明】
【０００６】
【図１】後部収納ボックスを有する隠し物入れ付き小机を斜め上から見た図である。
【符号の説明】
【０００７】
１．小机
２．小机本体の背板部分
３．後部収納ボックス
４．錠
【図１】
0003152414.tif 000003